(57)【要約】  【課題】遠隔操作用電線と照明用電線とを１本のケーブルにして巻取ることができる電線リール装置を提供する。  【解決手段】リール装置本体部11に、商用電源23を低電圧電源に変換する電装箱21を設け、リール装置本体部11内に巻取リール部13を回転自在に設ける。この巻取リール部13によって、電装箱21に接続された複数の芯材を内部に有するケーブル14を巻取り、このケーブル14の先端部にヘッド部15を設ける。このヘッド部15に、ケーブル14の一の芯材にデジタル化した遠隔操作用電気信号を出力するスイッチ回路部25と、ケーブル14の他の芯材を経て供給した低電圧電源により駆動する照明回路部26とを設ける。  【選択図】図１
2006059570.tif 000002
【特許請求の範囲】
【請求項１】
リール装置本体部と、
このリール装置本体部に設けられ商用電源を低電圧電源に変換する電源部と、
リール装置本体部内に回転自在に設けられた巻取リール部と、
この巻取リール部によって巻取られ電源部に接続された複数の芯材を内部に有するケーブルと、
このケーブルの先端部に設けられたヘッド部と、
このヘッド部に設けられケーブルの一の芯材に遠隔操作用電気信号を出力するスイッチ回路部と、
ヘッド部に設けられ電源部よりケーブルの他の芯材を経て供給された低電圧電源により駆動される照明回路部と
を具備したことを特徴とする電線リール装置。
【請求項２】
スイッチ回路部は、デジタル化した遠隔操作用電気信号を出力する
ことを特徴とする請求項１記載の電線リール装置。
【請求項３】
照明回路部は、高輝度発光ダイオードを備えている
ことを特徴とする請求項１または２記載の電線リール装置。
【発明の詳細な説明】
【技術分野】
【０００１】
本発明は、照明一体型の電線リール装置に関するものである。
【背景技術】
【０００２】
自動車の整備作業を行う工場などの作業場においては、自動車を上下動させるためのリフトが、上下方向および水平方向に移動可能に設置されている（例えば、特許文献１、２参照）。
【０００３】
一方、作業灯などの照明器具の電源を任意の場所から得られるように、電源コードをリール装置本体部内のリール部に巻取り、必要に応じてリール装置本体部内から引出すようにした電線リール装置がある（例えば、特許文献３、４参照）。
【０００４】
このような電源コードの電線リール装置を利用して、リフトを上下動、水平移動させる遠隔操作用のケーブルを巻取ることは可能である。
【０００５】
しかしながら、電源コードと遠隔操作用ケーブルとを１本化することはできない。すなわち、照明器具の電源は、100Ｖ電源を使用するが、その電源コードと遠隔操作用ケーブルとを一体化する際には、照明器具よりノイズが発生し、このノイズにより遠隔操作機能が損なわれるので、電源コードを巻取る照明器具用リール装置と、遠隔操作用ケーブルを巻取る遠隔操作用リール装置とを、別々に設置しなければならない。
【０００６】
一部では制御機器への微弱信号の正常な搬送を確保するために、シールド構造などによってノイズ源から隔絶するような対策が取られており、同一作業場において照明器具が必要な場合には、別途、照明専用電線リール装置か、または屋内の別のコンセントから必要な照明器具に電源を供給せざるをえなかった。
【特許文献１】特開平６−２０６５２３号公報（第２頁、図１）
【特許文献２】特開平７−２８５４２１号公報（第２−３頁、図１−２）
【特許文献３】特開平９−１０２３５１号公報（第２−３頁、図１）
【特許文献４】特開２００１−１３０８３９号公報（第２−３頁、図１−２）
【発明の開示】
【発明が解決しようとする課題】
【０００７】
要するに、被制御機器の誤動作を招くおそれのあるノイズなどのキャリヤになりやすい照明器具の電源コードと、遠隔操作用の信号ケーブルとを１つのリール装置に共存させることは、従来できなかった。
【０００８】
本発明は、このような点に鑑みなされたもので、遠隔操作用電線と照明用電線とを１本のケーブルにして巻取ることができる電線リール装置を提供することを目的とするものである。
【課題を解決するための手段】
【０００９】
請求項１記載の発明は、リール装置本体部と、このリール装置本体部に設けられ商用電源を低電圧電源に変換する電源部と、リール装置本体部内に回転自在に設けられた巻取リール部と、この巻取リール部によって巻取られ電源部に接続された複数の芯材を内部に有するケーブルと、このケーブルの先端部に設けられたヘッド部と、このヘッド部に設けられケーブルの一の芯材に遠隔操作用電気信号を出力するスイッチ回路部と、ヘッド部に設けられ電源部よりケーブルの他の芯材を経て供給された低電圧電源により駆動される照明回路部とを具備した電線リール装置であり、そして、商用電源を低電圧電源に変換するリール装置本体部側の電源部に、複数の芯材を内部に有するとともに巻取リール部により巻取られるケーブルを接続して、このケーブルの先端部に設けられたヘッド部の照明回路部に低電圧電源を供給するとともに、ヘッド部のスイッチ回路部よりケーブルの別の芯材に遠隔操作用電気信号を出力するので、遠隔操作用電線リール装置と照明用電線リール装置の２台が１台になるとともに、共通のヘッド部に設けられた遠隔操作用のスイッチ回路部と照明回路部とを用いて、作業効率の向上と省スペースとを図る。
【００１０】
請求項２記載の発明は、請求項１記載の電線リール装置におけるスイッチ回路部が、デジタル化した遠隔操作用電気信号を出力するものであり、そして、デジタル化した遠隔操作用電気信号にはノイズに対する耐性がある。
【００１１】
請求項３記載の発明は、請求項１または２記載の電線リール装置における照明回路部が、高輝度発光ダイオードを備えているものであり、そして、高輝度発光ダイオードにより遠隔操作用電気信号と同様の低電圧電源でも、照明機能を十分に発揮できる照度が得られるようにする。
【発明の効果】
【００１２】
請求項１記載の発明によれば、商用電源を低電圧電源に変換するリール装置本体部側の電源部に、複数の芯材を内部に有するとともに巻取リール部により巻取られるケーブルを接続して、このケーブルの先端部に設けられたヘッド部の照明回路部に低電圧電源を供給するとともに、ヘッド部のスイッチ回路部よりケーブルの別の芯材に遠隔操作用電気信号を出力するので、遠隔操作用電線リール装置と照明用電線リール装置の２台を１台にできるとともに、共通のヘッド部に遠隔操作用のスイッチ回路部と照明回路部とを設けたので、作業効率の向上と省スペースとを図ることができる。
【００１３】
請求項２記載の発明によれば、デジタル化した遠隔操作用電気信号にはノイズに対する耐性があり、ノイズによる誤操作信号の発生を防止できる。
【００１４】
請求項３記載の発明によれば、照明回路部が高輝度発光ダイオードを備えているので、この高輝度発光ダイオードにより遠隔操作用電気信号と同様の低電圧電源でも、照明機能を十分に発揮できる照度が得られる。
【発明を実施するための最良の形態】
【００１５】
以下、本発明を、図１および図２に示される一実施の形態を参照して詳細に説明する。
【００１６】
図１は、天井、壁、またはそれらに固定されるレールなどに設置して用いる遠隔操作用ケーブルリール装置および照明用ケーブルリール装置の両方の機能を兼ね備えた電線リール装置を示し、11はリール装置本体部であり、このリール装置本体部11の上部には、このリール装置本体部11を天井などに取付けるための取付部12が設けられ、また、このリール装置本体部11の内部には巻取リール部13が回転自在に設けられ、ぜんまいばね（図示せず）などにより巻取り方向に付勢され、ケーブル引き戻し操作により係脱自在の係止機構（図示せず）により回転係止されている。
【００１７】
このリール装置本体部11内の巻取リール部13には１本のケーブル14が巻取られている。このケーブル14内には、図２に示されるように信号線用および電源用の複数の芯材14a，14bが絶縁材を介して配線され、このケーブル14の先端部にはヘッド部15が設けられている。
【００１８】
図１（ａ）に示されるようにヘッド部15の表面側には複数の操作ボタン16が設けられ、また、図１（ｂ）に示されるようにヘッド部15の裏面側には照明灯17が一体的に設けられている。この照明灯17は、高輝度発光ダイオード（超高輝度発光ダイオードも含まれる）などの低電圧光源を用いる。
【００１９】
一方、リール装置本体部11には、シールドを兼ねた電源部としての電装箱21が一体に取付けられ、図２に示されるように、この電装箱21の内部には電源回路部22が設けられている。この電源回路部22は、外部の商用電源23を一定の低電圧電源に変換するものである。図１に商用電源23とともに示された配線は、接地用配線24である。
【００２０】
また、ヘッド部15の内部には、複数の操作ボタン16によりオン／オフ操作されてデジタル化された遠隔操作用電気信号を出力するスイッチ回路部25と、照明灯17を駆動する照明回路部26とが設けられ、スイッチ回路部25の出力側は、ケーブル14内の遠隔操作用電気信号を出力するための一の芯材14aを介して、電装箱21に接続され、さらにこの電装箱21を介して、固定された遠隔操作用信号線の出力配線27に接続されている。
【００２１】
さらに、電源回路部22は、ケーブル14内の他の芯材14bを介して、照明回路部26とスイッチ回路部25の入力側とに接続され、スイッチ回路部25から出力される遠隔操作用電気信号と同様の低電圧電源により駆動される照明回路部26に電力を供給して、照明灯17を点灯する。すなわち、スイッチ回路部25の電源および照明灯17を点灯させる電源は、リール装置本体部11側の電源回路部22から同一ケーブル14を介して給電される。
【００２２】
スイッチ回路部25は、ＣＰＵ（中央処理装置）およびメモリなどを有する集積回路を備えており、各操作ボタン16のオン操作に応じてデジタル化した遠隔操作用電気信号をケーブル14aに出力する。
【００２３】
照明回路部26は、直流電源をパルス発生させた駆動電流によって高輝度発光ダイオードを駆動する発振回路を備えている。
【００２４】
例えば、電装箱21内に、ＡＣ１００ＶをＤＣ２４Ｖに変換する電源回路部22を設置し、３芯のケーブル14に２４Ｖ電源からの電流のみを供給する。２４Ｖ電源にてスイッチ回路部25の遠隔操作機能を働かせ、照明回路部26の照明灯17は、高輝度発光ダイオードを用いることにより、蛍光灯のように１００Ｖを使用せずに使用可能な作業灯にする。
【００２５】
このように、リール装置本体部11にシールドを兼ねた電装箱21を装着し、その中に電源回路部22を内包させ、電装箱21に数芯のケーブル14を接続して巻取リール部13で巻取り、このケーブル14の先端にヘッド部15を接続し、このヘッド部15にスイッチ回路部25と照明回路部26とを内包させた構成にしている。
【００２６】
次に、この実施の形態の作用効果を説明する。
【００２７】
自動車の整備を行う際に、ヘッド部15に設けられた複数の操作ボタン16からの入力操作に基づきスイッチ回路部25からデジタル信号で出力された遠隔操作用電気信号をケーブル14および遠隔操作用信号線の出力配線27により外部の被制御機器に送り、例えば自動車を載せたリフトの上下方向動作および左右方向動作などを遠隔操作する。
【００２８】
さらに、この遠隔操作用のスイッチ回路部25と同様にヘッド部15内に設けられた照明回路部26の照明灯17を、自動車の整備作業における作業灯として用いる。例えば、ヘッド部15の照明灯17に低電圧駆動の光源として用いられた高輝度発光ダイオードより塗装面に照明光を当てて、塗装面の傷の状況を検査するなどの整備作業を行う。
【００２９】
このシステムは、遠隔操作用電気信号の搬送をデジタル化することで、ノイズに対して耐性を持たせた上で、さらに、低電圧駆動の光源を利用することにより、常時２つ必要であった遠隔操作用電線リール装置と、照明用電線リール装置とを、１つの筐体の電線リール装置で兼用できる。すなわち、リモートコントール装置を内包する照明用電線リール装置、言い換えると、照明装置を内包するリモートコントロール用の電線リール装置を提供できる。
【００３０】
また、その遠隔操作用のスイッチ回路部25と照明回路部26とを一体化したことで、作業効率の向上と、省スペースとを図ることができる。
【００３１】
このように、商用電源23を低電圧電源に変換するリール装置本体部11側の電装箱21に、複数の芯材を内部に有するとともに巻取リール部13により巻取られるケーブル14を接続して、このケーブル14の先端部に設けられたヘッド部15の照明回路部26に低電圧電源を供給するとともに、ヘッド部15のスイッチ回路部25よりケーブル14の別の芯材に遠隔操作用電気信号を出力するので、遠隔操作用電線リール装置と照明用電線リール装置の２台を１台にできるとともに、共通のヘッド部15に遠隔操作用のスイッチ回路部25と照明回路部26とを設けたので、作業効率の向上と省スペースとを図ることができる。また、デジタル化した遠隔操作用電気信号にはノイズに対する耐性があるので、ノイズによる誤操作信号の発生を防止できる。さらに、照明回路部26が高輝度発光ダイオードを備えているので、この高輝度発光ダイオードにより遠隔操作用電気信号と同様の低電圧電源でも、照明機能を十分に発揮できる照度が得られる。
【図面の簡単な説明】
【００３２】
【図１】（ａ）は本発明に係る電線リール装置の一実施の形態を示す斜視図、（ｂ）はそのケーブルのヘッド部の背面図である。
【図２】同上リール装置の電気回路図である。
【符号の説明】
【００３３】
11    リール装置本体部
13    巻取リール部
14    ケーブル
14a，14b    芯材
15    ヘッド部
21    電源部としての電装箱
25    スイッチ回路部
26    照明回路部
【図１】
2006059570.tif 000003
【図２】
2006059570.tif 000004